(57)【要約】【課題】電動工具において、トリガ操作による工具ビットの駆動と、トリガとは別の操作部材による工具ビットの駆動とを任意に選択することが可能な技術を提供する。【解決手段】モータ１１１を介して直線運動する打撃子１３１と、打撃子１３１から入力される打撃によって被加工材に所定の加工を行う工具ビット１１９と、モータの駆動または停止を操作するトリガ１６５とを有する電動工具１０１であって、トリガ１６５の操作によるモータの駆動または停止を可能とする第１のモードと、工具ビット１１９の被加工材への押し付け操作または引き離し操作によるモータの駆動または停止を可能とする第２のモードとの間で切替可能に構成されていることを特徴とする電動工具。【選択図】  図１
2005052908.tif 000002
【特許請求の範囲】
【請求項１】
モータを介して直線運動する打撃子と、前記打撃子から入力される打撃によって被加工材に所定の加工作業を行う工具ビットと、前記モータを駆動または停止するトリガとを有する電動工具であって、
前記トリガの操作に基づいて前記モータの駆動または停止を可能とする第１の駆動制御モードと、前記工具ビットの前記被加工材への押し付け操作または前記被加工材からの引き離し操作に基づいて前記モータの駆動または停止を可能とする第２の駆動制御モードとの間で切替可能に構成されていることを特徴とする電動工具。
【請求項２】
請求項１に記載の電動工具であって、
前記第１の駆動制御モードと第２の駆動制御モードとの間でのモードの切り替えを行うモード切替機構と、
前記トリガの操作によってオン状態またはオフ状態とされる第１のスイッチと、
前記工具ビットの、前記被加工材への押し付け操作によりオン状態とされ、前記被加工材引き離し操作によりオフ状態とされる第２のスイッチと、を備えており、
前記モータは、前記第１のスイッチのオン状態と第２のスイッチのオン状態とを条件として通電駆動される構成とされ、
前記モード切替機構は、前記第１の駆動制御モードに切り替えたときには、前記第２のスイッチをオン状態にするとともに前記トリガの操作を許容し、前記第２の駆動制御モードに切り替えたときには、前記第２のスイッチをオフ状態にするとともに前記トリガを前記第１のスイッチをオン状態にする操作位置へ移動させて固定する構成とされていることを特徴とする電動工具。
【請求項３】
請求項１に記載の電動工具であって、
前記第１の駆動制御モードと前記第２の駆動制御モードとの間でのモードの切り替えの他、前記工具ビットに前記打撃子による打撃動作と前記モータを介しての回転運動を行わせる第３の駆動制御モードへの切り替えが可能とされており、上記第１から第３までの各モード間の切り替えが、１組のモード切替機構を介して行われる構成とされることを特徴とする電動工具。
【請求項４】
請求項３に記載の電動工具であって、
前記トリガの操作によってオン状態またはオフ状態とされる第１のスイッチと、
前記工具ビットの、前記被加工材への押し付け操作によりオン状態とされ、前記被加工材からの引き離し操作によりオフ状態とされる第２のスイッチと、
前記モータの回転動力を前記工具ビットに伝達または遮断するクラッチ機構と、を備えており、
前記モータは、前記第１のスイッチのオン状態と第２のスイッチのオン状態とを条件として通電駆動される構成とされ、
前記モード切替機構は、
機体外部に配置されたモード切替操作部材と、
前記モード切替操作部材に連係され、当該モード切替操作部材の、第１の駆動制御モードまたは第３の駆動制御モードへの切り替えに基づいて前記トリガの操作を許容し、第２の駆動制御モードへの切り替えに基づいて前記トリガを前記第１のスイッチをオン状態にする操作位置に固定するトリガ制御部材と、
前記モード切替操作部材に連係され、当該モード切替操作部材の、第１の駆動制御モードへの切り替えに基づいて前記第２のスイッチをオン状態にし、第２の駆動制御モードへの切り替えに基づいて前記第２のスイッチをオフ状態にするスイッチ切替部材と、
前記モード切替操作部材に連係され、当該モード切替操作部材の、第３の駆動制御モードへの切り替えに基づいて前記クラッチ機構を接続する側に操作し、第１の駆動制御モードまたは第２の駆動制御モードへの切り替えに基づいて前記クラッチ機構を切り離す側に操作するクラッチ切替部材と、を備えていることを特徴とする電動工具。
【発明の詳細な説明】
【０００１】
【発明の属する技術分野】
本発明は、例えばハンマビットの打撃動作によって被加工材（コンクリート）にハツリ作業を行う電動工具に関する。
【０００２】
【従来の技術】
電動工具の一例として、独国特許出願公開第１９７２０９４７号明細書（特許文献１）に電動ハンマドリルにおけるモード切替機構の構成が開示されている。
この先行技術に係る電動ハンマドリルにおいては、ハンマモードに切り替えた状態において、モータを駆動源として打撃動作する工具ビットとしてのハンマビットによって被加工材にハツリ作業を遂行する場合、作業者の負担を軽減する観点からモータ操作用のトリガを、モータの電源スイッチが投入状態（オン状態）とされる投入操作位置に固定される構成、いわゆるトリガロックを可能とした構成となっている。
【０００３】
上述した構成によれば、ハンマモードに切り替えた状態でハツリ作業を連続して実施する場合には、トリガのトリガロックに伴い作業者の負担が軽減されるという作業上の長所を得ることができる。ところが、その反面、トリガ操作によってハンマビットを、例えば小刻みに駆動させるには、トリガロック状態の解除動作が必要であり、使い勝手の面において、なお改良の余地がある。
【０００４】
【特許文献１】
独国特許出願公開第１９７２０９４７号明細書
【０００５】
【発明が解決しょうとする課題】
本発明は、上記のような観点から、電動工具において、トリガ操作による工具ビットの駆動と、トリガとは別の操作部材による工具ビットの駆動とを任意に選択することが可能な技術を提供することを目的としている。
【０００６】
【課題を解決するための手段】
上記課題を達成するため、各請求項記載の発明が構成される。
請求項１に記載の発明によれば、モータを介して直線運動する打撃子と、打撃子から入力される打撃によって被加工材に所定の加工作業を行う工具ビットと、モータを駆動または停止するトリガとを有する電動工具が構成される。本発明における「所定の加工作業」とは、典型的には、被加工材（コンクリート）に対するハンマ作業がこれに該当するが、ハンマ作業以外の作業をも包含する。また工具ビットに対する「打撃子から入力される打撃」の態様としては、打撃子から直接入力される態様および中間子を介して入力される態様のいずれをも好適に包含する。
【０００７】
本発明においては、トリガ操作によるモータの駆動または停止を可能とする第１の駆動制御モードと、工具ビットの被加工材への押し付け操作または被加工材からの引き離し操作によるモータの駆動または停止を可能とする第２の駆動制御モードとの間で切替可能とされた構成とされる。
かかる構成によれば、作業者が加工作業の形態あるいは作業状況に応じてモードを選択することができる。例えば第１の駆動制御モードを選択したときは、トリガ操作によって工具ビットを任意に駆動あるいは停止させて加工作業を行うことが可能であり、他方、第２の駆動制御モードを選択したときは、トリガ操作を行なうことなく、被加工材に対して工具ビットを押し付けたり引き離したりすることで当該工具ビットを駆動あるいは停止させて加工作業を行うことができる。
すなわち、加工作業の形態や作業状況に応じて駆動制御モードを選択することが可能な使い勝手のよい電動工具が提供される。
また工具ビットによって被加工材を加工する場合、当該工具ビットは、加工作業をする場合の当然の態様として被加工材に押し付けられる。本発明では、この工具ビットの被加工材に対する押し付け動作を利用して工具ビットを駆動する構成のため、操作に全く無駄がなく、操作性の向上に役立つ。
【０００８】
（請求項２に記載の発明）
請求項２に記載の発明によれば、請求項１に記載の電動工具において、第１の駆動制御モードと第２の駆動制御モードとの間でのモードの切り替えを行うモード切替機構と、トリガの操作によってオン状態またはオフ状態とされる第１のスイッチと、工具ビットの、被加工材への押し付け操作によりオン状態とされ、被加工材からの引き離し操作によりオフ状態とされる第２のスイッチとを備えた構成とされる。そしてモータは、第１のスイッチのオン状態と第２のスイッチのオン状態とを条件として通電駆動される構成とされている。さらにモード切替機構は、第１の駆動制御モードに切り替えたときには、第２のスイッチをオン状態にするとともにトリガの操作を許容し、第２の駆動制御モードに切り替えたときには、第２のスイッチをオフ状態にするとともにトリガを第１のスイッチをオン状態にする操作位置へ移動させて固定する構成とされている。
【０００９】
上記構成によれば、モード切替機構を操作して第１の駆動制御モードに切り替えたときは、第２のスイッチをオン状態にするとともにトリガの操作を許容する。かかる状態では、トリガを操作して第１のスイッチをオン状態またはオフ状態にすることでモータを通電駆動あるいは停止することができる。またモード切替機構を操作して第２の駆動制御モードに切り替えたときは、第２のスイッチをオフ状態にするとともにトリガを第１のスイッチをオン状態にする操作位置へ移動して固定する。かかる状態では、工具ビットを被加工材に押し付け操作あるいは引き離し操作し、第２のスイッチをオン状態またはオフ状態にすることでモータを通電駆動あるいは停止することができる。
このように、請求項２に記載の発明によれば、第１および第２のスイッチを、モード切替機構、トリガおよび工具ビットによってオン・オフ操作できるように構成したことによって、第１の駆動制御モードあるいは第２の駆動制御モードでの加工作業を任意に選択して遂行することが可能となった。
【００１０】
（請求項３に記載の発明）
請求項３に記載の発明では、請求項１に記載の電動工具において、第１の駆動制御モードと第２の駆動制御モードとの間でのモードの切り替えの他、工具ビットに打撃子による打撃動作とモータを介しての回転運動を行わせる第３の駆動制御モードへの切り替えが可能とされている。そして上記第１から第３までの各モード間での切り替えが、１組のモード切替機構を介して行われる構成とされる。
かかる構成の本発明によれば、第１の駆動制御モードおよび第２の駆動制御モードでの加工作業に加え、工具ビットに打撃動作と回転運動を行わせる第３の駆動制御モードで所定の加工作業を遂行することができる。「所定の加工作業」とは、典型的には、穴あけ作業がこれに該当するが、穴あけ作業以外の作業に適用できることは勿論である。また本発明では、第１の駆動制御モードと、第２の駆動制御モードと、第３の駆動制御モードとの間でのモードの切り替えを、１組のモード切替機構によって遂行できる構成としている。これにより、モードの切り替え操作を簡単に行なうことができる。
【００１１】
（請求項４に記載の発明）
請求項４に記載の発明によれば、請求項３に記載の電動工具において、トリガの操作によってオン状態またはオフ状態とされる第１のスイッチと、工具ビットの、被加工材への押し付け操作によりオン状態とされ、被加工材からの引き離し操作によりオフ状態とされる第２のスイッチと、モータの回転動力を工具ビットに伝達または遮断するクラッチ機構とを備え、モータは、第１のスイッチのオン状態と第２のスイッチのオン状態とを条件として通電駆動される構成とされる。
またモード切替機構は、モード切替操作部材と、トリガ制御部材と、スイッチ切替部材と、クラッチ切替部材とを備えた構成とされる。モード切替操作部材は、機体外部に配置されて作業者による切り替え操作が可能とされる。トリガ制御部材は、モード切替操作部材と連係され、当該モード切替操作部材の、第１の駆動制御モードまたは第３の駆動制御モードへの切り替えに基づいてトリガの操作を許容し、第２の駆動制御モードへの切り替えに基づいてトリガを第１のスイッチをオン状態にする操作位置に固定する。スイッチ切替部材は、モード切替操作部材に連係され、当該モード切替操作部材の、第１の駆動制御モードへの切り替えに基づいて第２のスイッチをオン状態にし、第２の駆動制御モードへの切り替えに基づいて第２のスイッチをオフ状態にする。さらにクラッチ切替部材は、モード切替操作部材に連係され、当該モード切替操作部材の、第３の駆動制御モードへの切り替えに基づいてクラッチ機構を接続する側に操作し、第１または第２の駆動制御モードへの切り替えに基づいてクラッチ機構を切り離す側に操作する。かかる構成を採用したことにより、第１の駆動制御モードと、第２の駆動制御モードと、第３の駆動制御モードとの間でのモードの切り替えを合理的に実現することができる。
【００１２】
【発明の実施の形態】
以下、本発明の実施の形態につき、図１〜図６に基づいて説明する。本実施の形態では、電動工具の一例として電動式のハンマドリルを用いて説明する。図１には電動ハンマドリルの全体構成が示され、図２には主要部の構成が示され、図３〜図６にはモードの切替態様が示されている。なお図３〜図６では紙面の上側にモード切替操作部材が平面視で示してある。図１に示すように、本実施の形態に係る電動ハンマドリル１０１は、概括的に見て、電動ハンマドリル１０１の外郭を形成する本体部１０３、当該本体部１０３の先端領域に接続されるツールホルダ１１７、当該ツールホルダ１１７に着脱自在に取付けられたハンマビット１１９を主体として構成される。ハンマビット１１９は、本発明における「工具ビット」に対応する。
【００１３】
本体部１０３は、駆動モータ１１１を収容したモータハウジング１０５と、運動変換機構１１３および打撃要素１１５を収容したギアハウジング１０７と、ハンドグリップ１０９とによって構成されている。駆動モータ１１１は本発明における「モータ」に対応する。駆動モータ１１１の回転出力は運動変換機構１１３によって直線運動に適宜変換された上で打撃要素１１５に伝達され、当該打撃要素１１５を介してハンマビット１１９の長軸方向（図１における左右方向）への衝撃力を発生する。
【００１４】
運動変換機構１１３は、駆動モータ１１１の回転運動を直線運動に変換して打撃要素１１５に伝達するものであり、駆動モータ１１１を介して駆動されるクランク機構によって構成されている。なお図１ではクランク機構を構成する部材の大部分がギアハウジング１０７によって隠され、運動の終端部側部材であるコネクティングロッド１２１およびピストン１２３が図示されている。ピストン１２３は、いわゆる打撃要素１１５を駆動する駆動子を構成するものであり、シリンダ１２５内をハンマビット１１９の長軸方向と同方向に摺動可能とされる。
【００１５】
打撃機構１１５は、ピストン１２３とともにシリンダ１２５のボア内壁に摺動自在に配置されたストライカ１３１と、ツールホルダ１１７に摺動自在に配置されるとともに、ストライカ１３１の運動エネルギーをハンマビット１１９に伝達するインパクトボルト１３３を主体として構成される。ストライカ１３１は、本発明における「打撃子」に対応する。またインパクトボルト１３３は、「中間子」を構成する。
【００１６】
一方、ツールホルダ１１７は、回転可能に構成されており、駆動モータ１１１から動力伝達機構１４１を介して回転される構成とされる。動力伝達機構１４１にはクラッチ機構１５１が介装されており、当該クラッチ機構１５１によって駆動モータ１１１の回転をツールホルダ１１７に対して伝達あるいは遮断可能としている。なお動力伝達機構１４１は複数のギアを主体に構成され、またクラッチ機構１５１は、噛み合い式の爪クラッチを主体に構成されるが、その具体的構成については、従来公知のため、詳細な説明については省略する。ハンマビット１１９は、ツールホルダ１１７に対し、その長軸方向への相対的な往復動が可能に、かつその周方向への相対的な回動が規制された状態で保持される。
【００１７】
モータハウジング１０５内の駆動モータ１１１は、メインスイッチ１６１と、サブスイッチ１６３がそれぞれオン状態（投入状態）とされることを条件として通電駆動され、いずれか一方または双方のスイッチ１６１，１６３がオフ状態（非投入状態または投入解除状態）とされることで停止される構成とされる。メインスイッチ１６１が本発明における「第１のスイッチ」に対応し、サブスイッチ１６３が本発明における「第２のスイッチ」に対応する。メインスイッチ１６１のオン・オフ操作は、トリガ１６５の操作に基づいて制御され、サブスイッチ１６３のオン・オフ操作は、ハンマビット１１９の操作あるいはモード切替機構１８１の操作によって別々に制御される構成とされる。
【００１８】
トリガ１６５は、ハンドグリップ１０９に回動中心１６５ａを支点にして回動可能に取り付けられており、作業者による引き操作によってメインスイッチ１６１をオン状態にし、引き操作解除によってメインスイッチ１６１をオフ状態にする。
【００１９】
電動ハンマドリル１０１においては、ハンマビット１１９を被加工材（便宜上図示しない）に対して押し付けたとき、インパクトボルト１３３および緩衝ストッパ１３５を介してスライドスリーブ１６７がハンドグリップ１０９側へ移動、すなわち後退動作され（図５参照）、ハンマビット１１９が被加工材から引き離されると、スプリング１６９によって上記の各部材が元の位置に復帰される構成とされている（図４参照）。本実施の形態においては、スライドスリーブ１６７にスイッチ作動部材１７１を取り付け、当該スイッチ作動部材１７１の後退動作によってサブスイッチ１６３をオン状態（図５参照）にし、スイッチ作動部材１７１の復帰動作（前進動作）によってサブスイッチ１６３をオフ状態（図４参照）にする構成とされる。
【００２０】
電動ハンマドリル１０１は、ハンマビット１１９の操作モードを切り替えるモード切替機構１８１を備える。モード切替機構１８１は、ハンマビット１１９がトリガ１６５の操作に基づき打撃動作することを可能とするハンマモードと、トリガ１６５を引き操作位置に固定した状態でハンマビット１１９が当該ハンマビット１１９の操作に基づき打撃動作することを可能とするトリガロックモードと、ハンマビット１１９が打撃動作および回転動作することを可能とするハンマドリルモードとの間で切替可能とされる。ハンマモードが本発明における「第１の駆動制御モード」に対応し、ハンマロックモードが本発明における「第２の駆動制御モード」に対応し、ハンマドリルモードが本発明における「第３の駆動制御モード」に対応する。
ハンマモードに切り替えられた状態が図３に示され、トリガロックモードに切り替えられた状態が図４および図５に示され、ハンマドリルモードに切り替えられた状態が図６に示されている。なお図４はハンマビット１１９が被加工材に押し付けられていない状態、すなわち待機状態を示し、図５はハンマビット１１９が被加工材に押し付けられたビット押し付け状態を示す。
【００２１】
モード切替機構１８１は、モード切替操作部材１８３と、トリガ制御部材１８５と、スイッチ切替部材１８７と、クラッチ切替部材１８９とを主体に構成される。モード切替操作部材１８３は、ギアハウジング１０７に外側から操作可能に配置される。上記のギアハウジング１０７が本発明における「機体」に対応する。モード切替操作部材１８３は、ギアハウジング１０７に水平面内での回動操作可能に取り付けられるとともに、ギアハウジング１０７の外面側において、円板１８３ａおよび当該円板上面を直径方向に延在する操作用グリップ１８３ｂを備えた構成とされている。グリップ１８３ｂの延在方向の一端は、先細り形状に形成されており、これにより切替位置指示部１８３ｃが構成されている。なおギアハウジング１０７の外面には、上記した３種類のモード位置、すなわちハンマモード位置、トリガロックモード位置、ハンマドリルモード位置を示す目印（図示省略）が周方向に概ね９０度の間隔で標示されている。
【００２２】
トリガ制御部材１８５は、ギアハウジング１０７内に概ね水平状に配置されるとともに一端がモード切替操作部材１８３と連係され、他端がトリガ１６５側に向かって延在されるとともにトリガ１６５上端に対して加圧可能に対向している。モード切替操作部材のギアハウジング１０７内面側には、当該モード切替操作部材１８３の回動中心から所定距離オフセットした位置を中心とする円形状の偏心カム部１８３ｄが形成され、この偏心カム部１８３ｄにトリガ制御部材１８５の一端が遊嵌状に嵌合されている。これにより、トリガ制御部材１８５は、モード切替操作部材１８３の回動操作に基づいて偏心カム部１８３ｄを介して概ね延在方向に移動可能とされる。
【００２３】
トリガ制御部材１８５は、図４および図５に示すように、モード切替操作部材１８３がトリガロックモード位置へと回動操作されたときには、ハンドグリップ１０９側（図示右側）へと移動され、先端部によりトリガ１６５の上端を加圧して当該トリガ１６５を、メインスイッチ１６１をオン状態にする引き操作位置へ傾動するとともに当該引き操作位置に固定（ロック）する。またトリガ制御部材１８５は、図３および図６に示すように、モード切替操作部材１８３がハンマモード位置またはハンマドリルモード位置へと回動操作されたときには、ハンマビット１１９先端側（図示左側）へ移動され、トリガ１６５の固定を解除するとともに当該トリガ１６５の作業者による操作を許容する。
【００２４】
スイッチ切替部材１８７は、ギアハウジング１０７内に概ね水平状に配置されるとともに、一端がモード切替操作部材１８３に連係され、他端がギアハウジング１０７内に設置されたサブスイッチ１６３側に向かって延在されている。モード切替操作部材１８３のギアハウジング１０７内面側の端面には、当該モード切替部材１８３の回動中心から所定距離オフセットした位置に偏心ピン１８３ｅが突設されており、この偏心ピン１８３ｅにスイッチ切替部材１８７の一端が遊嵌状に嵌合されている。これにより、スイッチ切替部材１８７は、モード切替操作部材１８３の回動操作に基づいて偏心ピン１８３ｅを介して概ね延在方向に移動可能とされる。
【００２５】
スイッチ切替部材１８７は、図３または図６に示すように、モード切替操作部材１８３がハンマモード位置またはハンマドリルモード位置へと回動操作されたときには、ハンドグリップ１０９側（図示右側）へ移動してスイッチ作動片１８７ａを介してサブスイッチ１６１をオン状態にし、図４および図５に示すように、モード切替操作部材１８３がトリガロックモード位置へと回動操作されたときには、ハンマビット１１９先端側（図示左側）へ移動してサブスイッチ１６３をオフ状態にする。
【００２６】
クラッチ切替部材１８９は、スイッチ切替部材１８７の先端部に接合された状態で、クラッチ機構１５１側に向かって概ね水平状に延在されるとともに、当該クラッチ機構１５１における従動側クラッチ体１５５に接合され、スイッチ切替部材１８７と一体状に移動可能とされる。クラッチ切替部材１８９は、図６に示すように、モード切替操作部材１８３がハンマドリルモード位置へと回動操作されたときには、ハンドグリップ１０９側（図示右側）へ移動し、従動側クラッチ体１５５を軸方向に移動させて当該従動側クラッチ体１５５の爪を駆動側クラッチ体１５３の爪に噛み合わせる。またクラッチ切替部材１８９は、図３〜図５に示すように、モード切替操作部材１８３がハンマモード位置またはトリガロックモード位置へと回動操作されたときには、ハンマビット１１９先端側（図示左側）へ移動し、従動側クラッチ体１５５の爪を駆動側クラッチ体１５３の爪から引き離す。
【００２７】
本実施の形態に係る電動ハンマドリル１０１は上記のように構成される。次に電動ハンマドリル１０１の作用および使用方法について説明する。
作業者が、モード切替操作部材１８３を、例えば図４および図５に示すトリガロックモード位置から図３に示すハンマモード位置へ回動操作したときは、トリガ制御部材１８５がハンマビット１１９先端側へと移動され、トリガ１６５の固定が解除される。すなわち、作業者によるトリガ１６５の操作が許容されるとともに、メインスイッチ１６１がオフ状態とされる。一方、スイッチ切替部材１８７がハンドグリップ１０７側へ移動され、スイッチ作動片１８７ａを介してサブスイッチ１６３をオン操作する。またクラッチ切替部材１８９もハンドグリップ１０７側へ移動するが、そのときの移動位置は、移動範囲のうちの概ね中間位置であり、このため、従動側クラッチ体１５５の爪が駆動側クラッチ体１５３の爪に噛み合わず、クラッチ機構１５１は切り離された状態が維持される。
【００２８】
したがって、ハンマモードに切り替えた図３に示す状態において、トリガ１６５を引き操作してメインスイッチ１６１をオン操作すれば、駆動モータ１１１が駆動され、駆動モータ１１１の回転運動は、運動変換機構１１３によって直線運動に変換され、当該運動変換機構１１３のピストン１２３がシリンダ１２５のボア内で往復直線運動を行う。
ピストン１２３の直線運動に伴い、いわゆる空気バネの作用によってストライカ１３１はピストン１２３の直線運動の速度よりも高速でインパクトボルト１３３に向かって直線運動する。ストライカ１３１がインパクトボルト１３３に衝突することで、ストライカ１３１の運動エネルギーがインパクトボルト１３３に伝達され、当該インパクトボルト１３３はハンマビット１１９に向かって高速で直線運動する。インパクトボルト１３３がハンマビット１１９に衝突することで、インパクトボルト１３３の運動エネルギーがハンマビット１１９に伝達され、当該ハンマビット１１９は前方に高速で直線運動する。すなわち、ハンマビット１１９が打撃動作（ハンマ動作）することによって、ハツリ等のハンマ作業が遂行されることとなる。なおトリガ１６５の引き操作を解除すれば、メインスイッチ１６１がオフ状態となり、駆動モータ１１１およびハンマビット１９が停止される。
【００２９】
次にモード切替操作部材１８３を、例えば図３に示すハンマモード位置から図４に示すトリガロックモード位置へ回動操作したときは、トリガ制御部材１８５がハンドグリップ１０９側へ移動され、トリガ１６５の上端を加圧する。これにより、当該トリガ１６５が引き操作位置へ傾動してメインスイッチ１６１をオン操作するとともに、その位置に固定される。すなわち、トリガロック状態となる。一方、スイッチ切替部材１８７がハンマビット１１９先端側へと移動されるため、スイッチ作動片１８７ａがサブスイッチ１６３から離れ、当該サブスイッチ１６３がオフ状態となる。またクラッチ切替部材１８９もハンマビット１１９側へ移動されるため、従動側クラッチ体１５５の爪が駆動側クラッチ体１５３の爪に噛み合わず、クラッチ機構１５１は切り離された状態が維持される。
【００３０】
かかる状態において、ハンマビット１１９を被加工材に押し付けると、図５に示すように、当該ハンマビット１１９が後退動作、すなわちハンドグリップ１０９側へ移動される。これに伴いインパクトボルト１３３および緩衝ストッパ１３５を介してスライドスリーブ１６７が後退動作し、当該スライドスリーブ１６７に取り付けられたスイッチ作動部材１７１によってサブスイッチ１６３がオン状態とされる。その結果、駆動モータ１１１が通電駆動され、上記のハンマモードの場合と同様、運動変換機構１１３および打撃要素１１５を介してハンマビット１１９が打撃動作することによって、ハツリ等のハンマ作業が遂行されることとなる。なおハンマビット１１９を被加工材から引き離すと、スプリング１６９によって上記の各部材が図４に示す元の位置、すなわち待機状態に復帰され、これに伴いサブスイッチ１６３がオフ状態となるため、駆動モータ１１１およびハンマビット１１９が停止される。また、このとき、トリガ１６５は、引き操作位置に固定されたトリガロック状態にあるため、トリガ１６５の操作が一切不要であり、ハンマ作業を楽に行うことができる。
【００３１】
次にモード切替操作部材１８３を、図３に示すハンマモード位置あるいは図４に示すトリガロックモード位置から図６に示すハンマドリルモード位置へ回動操作したときは、トリガ制御部材１８５がハンマビット１１９側、すなわちトリガ１６５から離れる方向へ移動され、トリガ１６５の固定を解除する。トリガ１６５は、常時にはメインスイッチ１６１のオフ操作側に付勢されており、トリガ制御部材１８５による固定解除に伴いメインスイッチ１６１のオフ操作側へ戻る。このため、メインスイッチ１６１がオフ操作されるとともに、作業者によるトリガ１６５の操作が可能とされる。一方、スイッチ切替部材１８７がハンドグリップ１０９側へ移動され、スイッチ作動片１８７ａを介してサブスイッチ１６３をオン操作する。またクラッチ切替部材１８９もハンドグリップ１０９側へ移動して従動側クラッチ体１５５を同方向へ移動させ、当該従動側クラッチ体１５５の爪を駆動側クラッチ体１５３の爪に噛み合わせる。すなわち、クラッチ機構１５１が接続される。
【００３２】
かかる状態で、作業者がトリガ１１９を引き操作してメインスイッチ１６１をオン操作すると、駆動モータ１１１が通電駆動される。駆動モータ１１１の回転出力は、クラッチ機構１５１が接続された動力伝達機構１４１を介してツールホルダ１１７に伝達される。すなわち、ハンマビット１１９は、運動変換機構１１３および打撃要素１１５を介しての打撃動作（ハンマ動作）と、動力伝達機構１４１を介しての回転動作（ドリル動作）とを同時に行う。したがって、ハンマドリルモードでは、ハンマビット１１９の打撃動作と回転動作との複合状の動作によって穴あけなどのハンマドリル作業が遂行されることになる。
【００３３】
以上のように、本実施の形態によれば、ハンマモードでのトリガ１６５を操作してのハンマ作業と、トリガロックモードでのハンマビット１１９を操作してのハンマ作業とを任意に選択して遂行することができる。すなわち作業者は、例えば被加工材に対するハツリ作業を連続して行う場合とか、あるいはハンマビット１１９を小刻みに作動させてハツリ作業を行う場合とかで、その場のハツリ作業の状況に応じて、いずれの操作方式でハンマビット１１９を駆動するかを適宜選択することが可能となり、使い勝手のよい電動ハンマドリル１０１が提供される。
【００３４】
ハンマビット１１９を操作して当該ハンマビット１１９を駆動あるいは停止するトリガロックモードでのハンマ作業、つまり被加工材にハンマビット１１９を押し付けあるいは引き離すといった作業形態は、ハンマ作業をする場合に当然に行われる作業形態である。このため、ハンマビット１１９の駆動制御を行うに際し、当該ハンマビット１１９を直接的に利用することは、作業の合理化を図る上で有効となる。
また本実施の形態においては、ハンマビット１１９を操作して駆動モータ１１１の駆動・停止を制御するに際し、メインスイッチ１６１をオン操作する引き操作位置にトリガ１６５を固定する構成としたので、作業者はトリガ１６５を引き続ける必要がなく、このことは、ハツリ作業を連続して遂行するような場合にあっては、作業者の労力を軽減する上で有効となる。
【００３５】
また本実施の形態では、操作方式の異なる２通りのハンマモードによるハンマ作業に加え、ハンマドリルモードでのハンマドリル作業が可能であり、その場合のモードの切り替えを一種類のモード切替機構１８１によって実現している。具体的には、２個のスイッチ、すなわちメインスイッチ１６１とサブスイッチ１６３のオン・オフ操作に加え、クラッチの接続、切離操作を、単一のモード切替操作部材１８３を回動操作することで実現したものである。このため、モード切替操作系につき、例えば複数のモード切替操作系を備えるような場合に比べて、操作性が向上されるとともに、構造の簡素化を図ることができる。
【００３６】
なお本実施の形態では、電動工具の一例として電動ハンマドリルを用いて説明したが、ハンマビット１１９が打撃動作のみを行う、電動ハンマにも適用することが可能である。
また本実施の形態では、ハンマビット１１９を被加工材に押し付けて当該ハンマビット１１９を駆動する構成において、メインスイッチ１６１をオン・オフ操作するトリガ１６５を当該メインスイッチ１６１がオン状態となる引き操作位置に固定する構成を前提としたが、この構成に変えて、例えば作業者がトリガ１６５を引き操作した状態で、ハンマビット１１９を被加工材に押し付けたときに当該ハンマビット１１９が駆動される構成、あるいはトリガ１６５の引き操作の有無に関係なく、ハンマビット１１９を被加工材に押し付けるだけで当該ハンマビット１１９が駆動される構成に変更してもよい。
【００３７】
上記発明の趣旨に鑑み、以下の態様を構成することが可能とされる。
（態様１）
「モータを介して直線運動する打撃子と、前記打撃子から入力される打撃によって被加工材に所定の加工作業を行う工具ビットとを有する電動工具であって、前記工具ビットの前記被加工材への押し付け動作により前記モータの駆動を介して当該工具ビットが駆動される構成としたことを特徴とする電動工具。」
上記構成によれば、工具ビットを用いて、例えばハンマ作業を行うときに作業者が行う当然の作業態様である、工具ビットの被加工材に対する押し付け動作によって工具ビットを駆動するので、ハンマ作業等を楽に行うことができる。また工具ビットが被加工材から引き離された停止状態では、モータも停止されており、省エネの面でも有効である。
【００３８】
【発明の効果】
以上詳述したように、本発明によれば、電動工具において、トリガ操作による工具ビットの駆動と、トリガとは別の操作部材による工具ビットの駆動とを任意に選択することが可能な技術を提供することができる。
【図面の簡単な説明】
【図１】本実施の形態に係る電動ハンマドリルの全体構成を示す断面図である。
【図２】主要部の構成を示す断面図である。
【図３】電動ハンマドリルをハンマモードに切り替えた状態を示す図である。
【図４】電動ハンマドリルをトリガロックモードに切り替えた状態を示す図であり、ハンマビットが被加工材に押し付けられていない待機状態を示す。
【図５】電動ハンマドリルをトリガロックモードに切り替えた状態を示す図であり、ハンマビットが被加工材に押し付けられた駆動状態を示す。
【図６】電動ハンマドリルをハンマドリルモードに切り替えた状態を示す図である。
【符号の説明】
１０１  電動ハンマドリル（電動工具）
１０３  本体部
１０５  モータハウジング
１０７  ギアハウジング（機体）
１０９  ハンドグリップ
１１１  駆動モータ（モータ）
１１３  運動変換機構
１１５  打撃要素
１１７  ツールホルダ
１１９  ハンマビット（工具ビット）
１２１  コネクティングロッド
１２３  ピストン（駆動子）
１２５  シリンダ
１３１  ストライカ（打撃子）
１３３  インパクトボルト（中間子）
１３５  緩衝ストッパ
１４１  動力伝達機構
１５１  クラッチ機構
１５３  駆動側クラッチ体
１５５  従動側クラッチ体
１６１  メインスイッチ（第１のスイッチ）
１６３  サブスイッチ（第２のスイッチ）
１６５  トリガ
１６７  スライドスリーブ
１６９  スプリング
１７１  スイッチ作動部材
１８１  モード切替機構
１８３  モード切替操作部材
１８３ａ  円板
１８３ｂ  グリップ
１８３ｃ  切替位置指示部
１８３ｄ  偏心カム部
１８３ｅ  偏心ピン
１８５  トリガ制御部材
１８７  スイッチ切替部材
１８９  クラッチ切替部材
【図１】
2005052908.tif 000003
【図２】
2005052908.tif 000004
【図３】
2005052908.tif 000005
【図４】
2005052908.tif 000006
【図５】
2005052908.tif 000007
【図６】
2005052908.tif 000008